Podtech/llm-jp-corpus-v4-ja_patent huggingface dataset:
【手続補正書】
【提出日】平成26年6月23日(2014.6.23)
【手続補正１】
【補正対象書類名】明細書
【補正対象項目名】０１４４
【補正方法】変更
【補正の内容】
【０１４４】
この開示は、趣旨及び範囲から逸脱することなく様々な修正及び変更が可能である。したがって、本開示は、上記の実施形態に限定されないが、以下の請求項及び全てのその等価物に詳述する制限によって規制される。本開示は、本明細書に具体的に開示されていない要素を欠いても適宜実施され得る。上記に引用した全ての特許及び特許出願は、参照によりその全体が本明細書に組み込まれる。
本開示は以下も包含する。
［１］  構造化表面を作製する方法であって、
複数列の直立要素を有する熱可塑性裏材を提供する工程であって、前記直立要素が、前記熱可塑性裏材に付着された近位端、及び遠位キャップを有するステムを含み、それぞれの遠位キャップが、前記ステムを超えて第１の方向に延びる張出し部分を有する、工程と、
前記複数列の少なくともいくつかについて、２つの隣接した列の間に器具を通過させる工程であって、前記張出し部分の少なくとも一部が、前記第１の方向と異なる第２の方向に向けられるように、前記器具が、前記２つの隣接した列において、前記遠位キャップの少なくともいくつかの前記張出し部分と接触する、工程と、
を含む、方法。
［２］  前記器具が、前記熱可塑性裏材を切断しない、上記態様１に記載の方法。
［３］  前記器具が、針、ワイヤー、又はシムである、上記態様１又は２に記載の方法。
［４］  前記器具がテーパー状である、上記態様１〜３のいずれか一項に記載の方法。
［５］  前記熱可塑性裏材を少なくとも一方向に延伸する工程を更に含む、上記態様１〜４のいずれか一項に記載の方法。
［６］  前記器具又は前記直立要素の少なくとも１つを加熱する工程を更に含む、上記態様１〜５のいずれか一項に記載の方法。
［７］  前記張出し部分の少なくとも一部が第２の方向に向けられるとき、それが前記熱可塑性裏材に向けられる、上記態様１〜６のいずれか一項に記載の方法。
［８］  複数の器具が、前記複数列の間を通過する、上記態様１〜７のいずれか一項に記載の方法。
［９］  前記複数の器具の少なくともいくつかが、異なる長さを有するか、又はそれらの先端が互いに整列しないように位置付けられる、上記態様８に記載の方法。
［１０］  前記複数の器具が、前記複数列の直立要素の間で自己整列する、上記態様８又は９に記載の方法。
［１１］  前記熱可塑性裏材が、ｘ方向と、前記ｘ方向に直交するｙ方向とを有し、前記遠位キャップが、前記ステムを超えて前記ｘ方向及び前記ｙ方向の両方に延びる張出し部分を有し、前記ｘ方向又は前記ｙ方向の一方のみに延びる前記張出し部分が、前記第２の方向に向けられる、上記態様１〜１０のいずれか一項に記載の方法。
［１２］  構造化表面上の直立要素上に遠位キャップを成形するためのツールであって、前記ツールは、テンプレート構造化表面及び複数の器具を備え、前記テンプレート構造化表面が、複数列のテンプレート直立要素を有するテンプレート熱可塑性裏材を備え、前記テンプレート直立要素が、前記テンプレート熱可塑性裏材に付着された近位端、及び遠位先端を有するステムを備え、前記複数の器具が、前記テンプレート構造化表面上の前記複数列のテンプレート直立要素の間に位置付けられる、ツール。
［１３］  ｘ方向及びｙ方向を有する熱可塑性裏材と、
前記熱可塑性裏材に付着された近位端、及び遠位キャップを有するステムを備える直立要素と、備え、各遠位キャップが、前記ステムを超えてあらゆる方向に延びる張出し部分を有し、前記ステムを超えてあらゆる方向に延びる張出し部分が、実質的に等しい体積であり、前記直立要素の少なくともいくつかについて、前記ｘ方向又は前記ｙ方向の一方のみに延びる前記張出し部分が、前記熱可塑性裏材に向かって下方に向けられる、構造化表面。
［１４］  前記直立要素の前記少なくともいくつかについて、前記張出し部分の全てが丸くされる、上記態様１３に記載の構造化表面。
［１５］  前記熱可塑性裏材が、縦方向及び横方向を有する不定長のウェブであり、前記ｙ方向が、前記縦方向であり、前記ｘ方向が前記横方向であり、前記横方向に延びる前記張出し部分のみが、前記熱可塑性裏材に向かって下方に向けられる、上記態様１３又は１４に記載の構造化表面。
【手続補正２】
【補正対象書類名】特許請求の範囲
【補正対象項目名】全文
【補正方法】変更
【補正の内容】
【特許請求の範囲】
【請求項１】
構造化表面を作製する方法であって、
複数列の直立要素を有する熱可塑性裏材を提供する工程であって、前記直立要素が、前記熱可塑性裏材に付着された近位端、及び遠位キャップを有するステムを含み、それぞれの遠位キャップが、前記ステムを超えて第１の方向に延びる張出し部分を有する、工程と、
前記複数列の少なくともいくつかについて、２つの隣接した列の間に器具を通過させる工程であって、前記張出し部分の少なくとも一部が、前記第１の方向と異なる第２の方向に向けられるように、前記器具が、前記２つの隣接した列において、前記遠位キャップの少なくともいくつかの前記張出し部分と接触する、工程と、
を含む、方法。
【請求項２】
前記器具が、針、ワイヤー、又はシムである、請求項１に記載の方法。
【請求項３】
前記器具がテーパー状である、請求項１又は２に記載の方法。
【請求項４】
複数の器具が、前記複数列の間を通過する、請求項１〜３のいずれか一項に記載の方法。
【請求項５】
前記熱可塑性裏材が、ｘ方向と、前記ｘ方向に直交するｙ方向とを有し、前記遠位キャップが、前記ステムを超えて前記ｘ方向及び前記ｙ方向の両方に延びる張出し部分を有し、前記ｘ方向又は前記ｙ方向の一方のみに延びる前記張出し部分が、前記第２の方向に向けられる、請求項１〜４のいずれか一項に記載の方法。
【請求項６】
ｘ方向及びｙ方向を有する熱可塑性裏材と、
前記熱可塑性裏材に付着された近位端、及び遠位キャップを有するステムを備える直立要素と、備え、各遠位キャップが、前記ステムを超えてあらゆる方向に延びる張出し部分を有し、前記ステムを超えてあらゆる方向に延びる張出し部分が、実質的に等しい体積であり、前記実質的に等しい体積とは、前記ステムの各々の側の張出し材料の体積の差が１０パーセントまでであってよいことを意味し、前記直立要素の少なくともいくつかについて、前記ｘ方向又は前記ｙ方向の一方のみに延びる前記張出し部分が、前記熱可塑性裏材に向かって下方に向けられる、構造化表面。
【手続補正書】
【提出日】平成26年4月17日(2014.4.17)
【手続補正１】
【補正対象書類名】明細書
【補正対象項目名】０００１
【補正方法】変更
【補正の内容】
【０００１】
本発明は、物体、例えば液体を所定の温度に至らせおよび／または所定の温度に維持するための自律装置に関する。本装置は、特に、飲料調製マシン、例えば移動型の携帯マシン、特に風味材料を収容するカプセルを通じて水などの液体を流すことによって飲料を調製するためのマシンに組み込まれてもよい。
【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
卵混合物からタンパク質を分離するための方法であって、
（ａ）卵由来脂質及び卵由来タンパク質を含む液体卵混合物を得て、液体形態において前記卵混合物を維持することと、
（ｂ）前記卵混合物をマイクロ濾過して、単離されたタンパク質組成物を得ることと
を含み、ここで、前記マイクロ濾過は、０．４０マイクロメートル未満の孔径を有する膜を横切って、前記卵混合物を６０ｐｓｉ未満の圧力で揚送することを含む、方法。
【請求項２】
前記卵混合物が少なくとも１パーセントの卵由来脂質を含む、請求項１に記載の、卵混合物からタンパク質を分離するための方法。
【請求項３】
マイクロ濾過が、０．２０マイクロメートル未満の孔径を有する中空繊維フィルターを横切って、前記卵混合物を約６０ＰＳＩ未満の圧力で揚送することを含む、請求項１〜２のいずれか一項に記載の方法。
【請求項４】
マイクロ濾過が、０．１０マイクロメートル未満の孔径を有する中空繊維フィルターを横切って、前記卵混合物を約３０ＰＳＩ未満の圧力で揚送することを含む、請求項１〜３のいずれか一項に記載の方法。
【請求項５】
前記中空繊維膜が親水性材料から構成されている、請求項１〜４のいずれか一項に記載の方法。
【請求項６】
前記中空繊維膜がポリエステルスルホン（ＰＥＳ）を含む、請求項１〜５のいずれか一項に記載の方法。
【請求項７】
螺旋状巻回膜モジュールを横切って、前記卵混合物を揚送することを含む、請求項１〜６のいずれか一項に記載の方法。
【請求項８】
前記膜がポリフッ化ビニリデンを含む、請求項１〜７のいずれか一項に記載の方法。
【請求項９】
前記膜が、０．２マイクロメートル未満の孔径を有する、請求項１〜８のいずれか一項に記載の方法。
【請求項１０】
前記卵混合物が食用卵を含む、請求項１〜９のいずれか一項に記載の方法。
【請求項１１】
前記卵混合物が、加工前に、乾燥重量に基づいて、約４０％〜８０％のタンパク質と約３５％〜１５％の脂肪とを含む、請求項１〜１０のいずれか一項に記載の方法。
【請求項１２】
卵混合物からタンパク質を分離するための方法であって、
（ａ）卵黄脂質、卵黄タンパク質、及び卵アルブメンを含む卵混合物を得ることと、
（ｂ）卵黄脂質、卵黄タンパク質、及び卵アルブメンを含む前記卵混合物をマイクロ濾過して、卵黄由来タンパク質及び卵アルブメン由来タンパク質を含む単離されたタンパク質組成物を得ることと
を含み、ここで、前記卵混合物は、卵脂肪架橋試薬を実質的に含まず、前記マイクロ濾過は、０．４０マイクロメートル未満の孔径を有する膜を横切って、前記卵混合物を６０ｐｓｉ未満の圧力で揚送することを含む、方法。
【請求項１３】
前記卵混合物が少なくとも１パーセントの卵黄由来脂質を含む、請求項１２に記載の、卵混合物からタンパク質を分離するための方法。
【請求項１４】
卵混合物からタンパク質を分離するための方法であって、
（ａ）卵黄及び卵アルブメンを含む卵混合物を得て、液体形態において前記卵混合物を維持することと、
（ｂ）前記卵黄及び卵アルブメンのｐＨを約４〜約８の範囲内に維持することと、
（ｃ）卵黄脂質、卵黄タンパク質、及び卵アルブメンを含む前記卵混合物をマイクロ濾過して、卵黄由来タンパク質及び卵アルブメン由来タンパク質を含む単離されたタンパク質組成物を得ることと
を含む、方法。
【請求項１５】
卵混合物からタンパク質を分離するための方法であって、
（ａ）卵黄及び卵アルブメンを含む卵混合物を得ることと、
（ｂ）卵黄脂質の脂質を、実質的に非架橋かつ液体形態に維持することと、
（ｃ）卵黄脂質、卵黄タンパク質、及び卵アルブメンを含む前記卵混合物をマイクロ濾過して、卵黄由来タンパク質及び卵アルブメン由来タンパク質を含む単離されたタンパク質組成物を得ることと
を含む、方法。
【請求項１６】
前記卵混合物が、加工前に、乾燥重量に基づいて、約４０％〜８０％のタンパク質と約３５％〜１５％の脂肪とを含む、請求項１５に記載の方法。
【請求項１７】
卵黄及び卵アルブメンから得た卵粉末であって、
（ａ）乾燥重量に基づいて少なくとも約６０％のタンパク質と、
（ｂ）乾燥重量に基づいて約２％未満の脂肪と、を含み、
前記タンパク質の少なくとも一部が、卵黄脂質及び卵黄タンパク質の混合物の濾過により誘導され、前記卵混合物は液体形態において維持されている、卵粉末。
【請求項１８】
高いゲル強度を有する卵粉末であって、
（ａ）少なくとも約６０重量％のタンパク質と、
（ｂ）約１重量％以下の脂肪と、
（ｃ）少なくとも４００のゲル強度と、を含み、
前記タンパク質の少なくとも一部が、卵黄脂質及び卵黄タンパク質の混合物の濾過により誘導され、前記卵混合物は液体形態において維持されている、高いゲル強度を有する卵粉末。
【請求項１９】
前記卵粉末がＩｇＹを含む、請求項１８に記載の、高いゲル強度を有する非食用卵粉末。
【請求項２０】
前記卵粉末がオボトランスフェリンを含む、請求項１８〜１９のいずれか一項に記載の、高いゲル強度を有する非食用卵粉末。
【請求項２１】
卵混合物からタンパク質を分離するための方法であって、
（ａ）卵黄脂質、及び卵白タンパク質を含む卵混合物を得ることと、
（ｂ）前記卵混合物をマイクロ濾過して、単離されたタンパク質組成物を得ることと
を含み、ここで、前記卵混合物は、卵脂肪架橋試薬を実質的に含まず、マイクロ濾過は、０．２０マイクロメートル未満の孔径を有する中空繊維フィルターを横切って、前記卵混合物を揚送することを含む、方法。
【手続補正書】
【提出日】平成26年6月10日(2014.6.10)
【手続補正１】
【補正対象書類名】特許請求の範囲
【補正対象項目名】全文
【補正方法】変更
【補正の内容】
【特許請求の範囲】
【請求項１】
フィルター付き喫煙物品であって、
巻付材に取り囲まれたタバコ含有ロッドと、
前記タバコ含有ロッドに隣接するプラグラップに取り囲まれたフィルター要素と、
前記タバコ含有ロッドを前記フィルター要素に固定するチップ材とを含み、
前記チップ材は前記フィルター要素の前記プラグラップ及び前記タバコ含有ロッドの巻付材の一部を覆い、
前記プラグラップ、前記チップ材及びタバコ含有ロッドを取り囲む前記巻付材の少なくとも１つが熱可塑性デンプンポリマーを含む水性分散の形態での接着剤組成物によって固定されるフィルター付き喫煙物品。
【請求項２】
熱可塑性デンプンポリマーが、３０〜９５重量％のデンプンと５〜５５重量％の１以上の可塑剤を含む、請求項１に記載のフィルター付き喫煙物品。
【請求項３】
熱可塑性デンプンポリマーがさらに、分散助剤及びコロイドから成る群から選択される２０重量％までの１以上の追加の添加剤を含む、請求項２に記載のフィルター付き喫煙物品。
【請求項４】
接着剤組成物が、接着剤組成物の総重量に対して少なくとも３５重量％の熱可塑性デンプンポリマーを含む、請求項１に記載のフィルター付き喫煙物品。
【請求項５】
接着剤組成物が、接着剤組成物の総重量に対して少なくとも４５重量％の熱可塑性デンプンポリマーを含む、請求項１に記載のフィルター付き喫煙物品。
【請求項６】
プラグラップを固定する接着剤組成物をさらに含み、前記接着剤組成物が少なくとも３５重量％の熱可塑性デンプンポリマーを含む熱溶解の形態である、請求項１に記載のフィルター付き喫煙物品。
【請求項７】
接着剤組成物がチップ材を固定し、水性分散が少なくとも３５重量％の熱可塑性デンプンポリマーを含む、請求項１に記載のフィルター付き喫煙物品。
【請求項８】
少なくとも３５重量％の熱可塑性デンプンポリマーを含む接着剤組成物によってプラグラップ及びチップ材の双方が固定される、請求項１に記載のフィルター付き喫煙物品。
【請求項９】
熱可塑性デンプンポリマーが、３０〜９５重量％のデンプンと５〜５５重量％の１以上の可塑剤を含む、請求項８に記載のフィルター付き喫煙物品。
【請求項１０】
接着剤組成物が、粘着性樹脂、ワックス、抗酸化剤、ＵＶ安定剤、顔料、染料、殺生剤、難燃剤、帯電防止剤、充填剤、界面活性剤、発泡防止剤及びそれらの組み合わせから成る群から選択される１以上の添加剤を含む、請求項１〜９のいずれか１項に記載のフィルター付き喫煙物品。
【請求項１１】
喫煙物品が、紙巻タバコの形態又はタバコを燃焼しないエアロゾル生成の喫煙物品である、請求項１〜９のいずれか１項に記載のフィルター付き喫煙物品。
【請求項１２】
水性分散の形態における接着剤組成物が、６０℃〜１５０℃の活性化温度を有する、請求項１〜９のいずれか１項に記載のフィルター付き喫煙物品。
【請求項１３】
水性分散の形態における接着剤組成物が、１００ｃＰ〜１０，０００ｃＰの粘度を有する、請求項１〜９のいずれか１項に記載のフィルター付き喫煙物品。
【請求項１４】
水性分散の形態における接着剤組成物が、２５％〜６０％固形物の固形物比率を有する、請求項１〜９のいずれか１項に記載のフィルター付き喫煙物品。
【請求項１５】
接着剤組成物が、熱可塑性デンプンポリマーと第２の生分解性ポリマーの混合物を含む、請求項１〜９のいずれか１項に記載のフィルター付き喫煙物品。
【請求項１６】
第２の生分解性ポリマーが、ポリビニルアルコール、脂肪族ポリエステル、脂肪族ポリウレタン、シス−ポリイソプレン、シス−ポリブタジエン、ポリヒドロキシアルカノエート、ポリ無水物及びそれらのコポリマー及び混合物から成る群から選択される、請求項１５に記載のフィルター付き喫煙物品。
【請求項１７】
接着剤組成物が、接着剤組成物の総重量に対して少なくとも４０重量％の前記混合物を含む、請求項１５に記載のフィルター付き喫煙物品。
【請求項１８】
接着剤組成物が、接着剤組成物の総重量に対して少なくとも５５重量％の前記混合物を含む、請求項１７に記載のフィルター付き喫煙物品。
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
ブーツ（１０）であって、
少なくとも二つの固定装置と、
ブーツ本体（２０）と
を有し、
前記ブーツ本体（２０）は、
着用者の脹脛と脛を少なくとも部分的に包み込む上部ゾーン（２．２、３）と、
前記着用者の前足を少なくとも部分的に包み込む下側ゾーン（２．１、２）と、
前記上部ゾーン（２．２、３）と前記下側ゾーン（２．１、２）との間に位置し、前記着用者の踵及び足関節を包み込む中間ゾーン（１）と
を有し、
前記中間ゾーン（１）は、前記上部ゾーン（２．２、３）から独立するとともに、前記下側ゾーン（２．１、２）から独立して、固定可能である
ことを特徴とする、ブーツ。
【請求項２】
請求項１に記載のブーツであって、
前記少なくとも二つの固定装置は、紐で締める構造（５０ａ、５０ｂ、５０ｃ’、５０ｃ’’）であり、
前記中間ゾーン（１）は、前記上部ゾーン（２．２、３）から独立するとともに、前記下側ゾーン（２．１、２）から独立して、紐で締める構造（５０ａ）によって締められることが可能である
ことを特徴とする、ブーツ。
【請求項３】
請求項１または２に記載のブーツであって、
前記ブーツ本体（２０）は、可撓領域（３０）の形成を伴って、前記上部ゾーン（２．２、３）と前記中間ゾーン（１）との間、及び、前記下側ゾーン（２．１、２）と前記中間ゾーン（１）との間で、分割される
ことを特徴とするブーツ。
【請求項４】
請求項１〜３のいずれか１項に記載のブーツであって、
前記上部ゾーン（２．２）及び前記下側ゾーン（２．１）は、単一の固定装置によって一緒に固定可能である
ことを特徴とするブーツ。
【請求項５】
請求項４に記載のブーツであって、
前記上部ゾーン（２．２）及び前記下側ゾーン（２．１）は、単一の紐で締める構造（５０ｂ）によって一緒に紐で締められることが可能である
ことを特徴とするブーツ。
【請求項６】
請求項１〜５のいずれか１項に記載のブーツであって、
前記上部ゾーン（２．２）及び前記下側ゾーン（２．１）は、独立した固定装置によって、互いに独立して固定可能である
ことを特徴とするブーツ。
【請求項７】
請求項６に記載のブーツであって、
前記上部ゾーン（２．２）及び前記下側ゾーン（２．１）は、独立した紐で締める構造（５０ｃ’、５０ｃ’’）によって、互いに独立して紐で締められることが可能である
ことを特徴とするブーツ。
【請求項８】
請求項１〜７のいずれか１項に記載のブーツであって、
前記ブーツ（１０）の剛性は、任意で補強部材を有するタング（４０）によって調節可能である
ことを特徴とするブーツ。
【請求項９】
請求項１〜８のいずれか１項に記載のブーツであって、
前記ブーツ（１０）の剛性は、前記上部ゾーン（２．２）と前記下側ゾーン（２．１）にて、紐によって調節可能である
ことを特徴とするブーツ。
【請求項１０】
請求項９に記載のブーツであって、
前記ブーツ（１０）の剛性は、前記上部ゾーン（２．２）と前記下側ゾーン（２．１）にて、異なる紐によって調節可能である
ことを特徴とするブーツ。
【請求項１１】
請求項１〜１０のいずれか１項に記載のブーツであって、
スキーブーツ又はスノーボードブーツである
ことを特徴とするブーツ。
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
靴のタング（１０）であって、
前記靴の使用中に前記タングの上部領域の外側に配置される、少なくとも１つの閉口手段経路（２０）と、
該閉口手段経路（２０）の裏において使用者に面して配置される、ポケットと、
を備えることを特徴とするタング。
【請求項２】
請求項１に記載のタングであって、
前記ポケットは、閉口手段収容ポケット（３０）である
ことを特徴とするタング。
【請求項３】
請求項１または２に記載のタングであって、
前記閉口手段経路（２０）は、環状体の形状を有し、該環状体を通って、少なくとも１つの閉口手段（４０）が案内される
ことを特徴とするタング。
【請求項４】
請求項３に記載のタングであって、
前記少なくとも１つの閉口手段（４０）は、少なくとも１つのテープまたは少なくとも１つの靴紐である
ことを特徴とするタング。
【請求項５】
請求項１〜４のいずれか１項に記載のタングであって、
前記環状体は、弾性を有し、閉口手段（４０）の係止機構（５０）の収容および保持のうちの少なくとも一方を行うように任意に構成される
ことを特徴とするタング。
【請求項６】
請求項５に記載のタングであって、
前記係止機構（５０）は、締付け装置である
ことを特徴とするタング。
【請求項７】
請求項５または６に記載のタングであって、
前記環状体は、前記係止機構（５０）を収容および保持するための切り欠き（６０）を備える
ことを特徴とするタング。
【請求項８】
請求項７に記載のタングであって、
前記切り欠き（６０）は、スロット状の切り欠きである
ことを特徴とするタング。
【請求項９】
請求項７または請求項８に記載のタングであって、
前記切り欠き（６０）は、ぴったり合うような態様で、前記係止機構（５０）を収容および保持するように設定されている
ことを特徴とするタング。
【請求項１０】
請求項２、および請求項２に従属したときの請求項３〜９のいずれか１項に記載のタングであって、
前記閉口手段収容ポケット（３０）および前記閉口手段経路（２０）のうちの少なくとも一方は、前記タング（１０）と一体である
ことを特徴とするタング。
【請求項１１】
請求項１〜１０のいずれか１項に記載のタングを備える靴。
【請求項１２】
請求項１１に記載の靴であって、
スポーツシューズである
ことを特徴とする靴。
【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
生物学的対象物に超音波パルスを送り、前記対象物からエコー系列を受信し、受信したエコー系列に依存して超音波信号を生成することにより作られた超音波信号を供給するための超音波信号供給ユニットを有する生物学的対象物の特性を決定するための特性決定装置において、前記対象物を灌流する流体による超音波パルスの散乱を表す少なくとも一つの散乱値を超音波信号に依存して決定する散乱値決定ユニットと、少なくとも一つの散乱値に依存して前記対象物の前記流体による潅流に関係のある前記対象物の特性を決定するための特性決定ユニットとを有する、特性決定装置。
【請求項２】
前記生物学的対象物は組織を有し、前記特性決定ユニットは、前記対象物の特性として少なくとも一つの散乱値に基づいて、組織の一部が切除された組織を有するか又は切除されていない組織を有するかを決定する、請求項１に記載の特性決定装置。
【請求項３】
供給された超音波信号が、ａ）前記対象物内の異なる深度及びｂ）異なる時間の少なくとも一つで流体による散乱を表し、超音波信号が、ａ）異なる深度及びｂ）異なる時間の少なくとも一つに対応するサンプル窓によりサンプリングされ、前記散乱値決定ユニットは、前記サンプル窓に対する散乱値を決定し、それぞれのサンプル窓に対して、少なくとも一つの散乱値が、それぞれのサンプル窓に対応する超音波信号の一部に基づいて決定され、前記特性決定ユニットが、それぞれのサンプル窓に対して決定される少なくとも一つの散乱値に基づいてそれぞれのサンプル窓に対する特性を決定する、請求項１に記載の特性決定装置。
【請求項４】
前記サンプル窓の各々が、超音波信号の幾つかの超音波強度に対応し、前記散乱値決定ユニットが、それぞれのサンプル窓内の超音波強度のヒストグラムに依存してサンプル窓に対する少なくとも一つの散乱値を決定する、請求項３に記載の特性決定装置。
【請求項５】
前記散乱値決定ユニットが、第１次のヒストグラム及び第２次のヒストグラムの少なくとも一つに基づいて少なくとも一つの散乱値を決定する、請求項４に記載の特性決定装置。
【請求項６】
前記散乱値決定ユニットが、第１次のヒストグラムの第１次の平均、第１次のヒストグラムの第１次の分散、第１次のヒストグラムの第１次のエントロピー、第２次のヒストグラムの第２次のエントロピー、第２次のヒストグラムの第２次のエネルギー、第２次のヒストグラムの第２次の均一性、第２次のヒストグラムの第２次のコントラスト、第２次のヒストグラムの第２次のクラスタ傾向、第２次のヒストグラムの第２次の形状、第２次のヒストグラムの第２次の相関及び第２次のヒストグラムの第２次の相関微分係数のうちの少なくとも一つを、少なくとも一つの散乱値として決定する、請求項５に記載の特性決定装置。
【請求項７】
前記サンプル窓の各々は、超音波信号の幾つかの超音波強度に対応し、前記散乱値決定ユニットは、それぞれのサンプル窓内の超音波強度の総和に依存して、サンプル窓に対する少なくとも一つの散乱値を決定する、請求項３に記載の特性決定装置。
【請求項８】
前記特性決定ユニットは、クラスタ分析を前記サンプル窓に適用し、前記サンプル窓が、それぞれのサンプル窓に対して決定される少なくとも一つの散乱値に依存してクラスタ化され、特性をサンプル窓のクラスタに割り当てる、請求項３に記載の特性決定装置。
【請求項９】
前記超音波信号供給ユニットが、１０ＭＨｚより大きい周波数を持つ超音波を用いることにより作られる超音波信号を供給する、請求項１に記載の特性決定装置。
【請求項１０】
前記超音波信号供給ユニットが、カテーテル又は針と一体化される超音波振動子である、請求項１に記載の特性決定装置。
【請求項１１】
生物学的対象物に影響するための対象物影響ユニットを有する生物学的対象物に影響するための対象物影響装置において、請求項１に記載の特性決定装置を更に有することを特徴とする、対象物影響装置。
【請求項１２】
生物学的対象物の特性を決定するための特性決定コンピュータプログラムにおいて、前記コンピュータプログラムが請求項１に記載の特性決定装置を制御するコンピュータ上で実行されるとき、前記対象物に超音波パルスを送り、前記対象物からエコー系列を受信し、受信したエコー系列に依存して超音波信号を生成することにより作られた超音波信号を供給するステップと、前記対象物を灌流する流体による超音波パルスの散乱を表す少なくとも一つの散乱値を超音波信号に依存して決定するステップと、少なくとも一つの散乱値に依存して前記対象物の前記流体による潅流に関係のある前記対象物の特性を決定するステップとを前記特性決定装置に実施させるプログラムコード手段を有することを特徴とする、特性決定コンピュータプログラム。
【請求項１３】
生物学的対象物の特性を決定するための特性決定コンピュータプログラムにおいて、前記コンピュータプログラムが請求項１１に記載の対象物影響装置を制御するコンピュータ上で実行されるとき、前記対象物に影響を与えることを実施し、前記対象物に超音波パルスを送り、前記対象物からエコー系列を受信し、受信したエコー系列に依存して超音波信号を生成することにより作られた超音波信号を供給するステップと、前記対象物を灌流する流体による超音波パルスの散乱を表す少なくとも一つの散乱値を超音波信号に依存して決定するステップと、少なくとも一つの散乱値に依存して前記対象物の前記流体による潅流に関係のある前記対象物の特性を決定するステップとを前記対象物影響装置に実施させるプログラムコード手段を有することを特徴とする、対象物影響コンピュータプログラム。
【手続補正書】
【提出日】平成26年4月17日(2014.4.17)
【手続補正１】
【補正対象書類名】特許請求の範囲
【補正対象項目名】全文
【補正方法】変更
【補正の内容】
【特許請求の範囲】
【請求項１】
角膜を評価する際に用いるためのコンピュータ実施方法であって、
前記角膜の一連の層状画像の中から主要画像を選択することと、
該主要画像内の複数の角膜構造を検出することと、
該複数の角膜構造の定量分析を提供することと
を含む、角膜を評価する際に用いるためのコンピュータ実施方法。
【請求項２】
前記主要画像を選択することが、前記一連の層状画像の中から最も目立つ神経を有する画像を選択することを含む、請求項１に記載のコンピュータ実施方法。
【請求項３】
前記一連の層状画像は、前記角膜の一連の層状共焦点顕微鏡画像を含む、請求項１に記載のコンピュータ実施方法。
【請求項４】
前記複数の角膜構造は複数の神経を含む、請求項１に記載のコンピュータ実施方法。
【請求項５】
前記複数の角膜構造は複数の免疫細胞を含む、請求項１に記載のコンピュータ実施方法。
【請求項６】
さらに、前記角膜の一連の層状画像の中から二次画像を選択し、該二次画像内の複数の翼細胞を検出することを含む、請求項１に記載のコンピュータ実施方法。
【請求項７】
さらに、前記複数の角膜構造のグラフィック表現を表示することを含む、請求項１に記載のコンピュータ実施方法。
【請求項８】
さらに、ユーザー入力を受信し、該ユーザー入力に応じて前記複数の角膜構造のグラフィック表現を修正することを含む、請求項７に記載のコンピュータ実施方法。
【請求項９】
さらに、前記複数の角膜構造のうちの少なくとも１つの角膜構造の三次元ビューを生成することを含む、請求項１に記載のコンピュータ実施方法。
【請求項１０】
さらに、前記角膜の一連の層状画像の中から、前記主要画像よりも前側の画像及び前記主要画像よりも後側の画像を選択し、該主要画像、前側画像、及び後側画像の各々において共通基準点を位置合わせすることを含む、請求項１に記載のコンピュータ実施方法。
【手続補正書】
【提出日】平成26年6月16日(2014.6.16)
【手続補正１】
【補正対象書類名】特許請求の範囲
【補正対象項目名】全文
【補正方法】変更
【補正の内容】
【特許請求の範囲】
【請求項１】
約２５重量％から約１００重量％の５−エチル−２−｛４−［４−（４−テトラゾル−１−イル−フェノキシメチル）−チアゾール−２−イル］−ピペリジン−１−イル｝−ピリミジンが非晶質であることを特徴とする、５−エチル−２−｛４−［４−（４−テトラゾル−１−イル−フェノキシメチル）−チアゾール−２−イル］−ピペリジン−１−イル｝−ピリミジンおよび水溶性生物学的適合性ポリマーを含む固体分散物。
【請求項２】
約５０％から約１００重量％の５−エチル−２−｛４−［４−（４−テトラゾル−１−イル−フェノキシメチル）−チアゾール−２−イル］−ピペリジン−１−イル｝−ピリミジンが非晶質であることを特徴とする、請求項１に記載の固体分散物。
【請求項３】
約９５重量％の５−エチル−２−｛４−［４−（４−テトラゾル−１−イル−フェノキシメチル）−チアゾール−２−イル］−ピペリジン−１−イル｝−ピリミジンが非晶質であることを特徴とする、請求項２に記載の固体分散物。
【請求項４】
固体分散物の最小直径が、約１から約１００マイクロメータであることを特徴とする、請求項１に記載の固体分散物。
【請求項５】
前記水溶性生物学的適合性ポリマーが、ポビドン、コポビドン、ヒプロメロースアセテートサクシネート、ポリエチレングリコール、ヒドロキシプロピルメチルセルロースアセテートサクシネート、ヒドロキシプロピルメチルセルロース、ヒドロキシプロピルメチルセルロースフタレート、カルボキシメチルエチルセルロース、酢酸フタル酸セルロース、および酢酸フタル酸セルロースから成る群から選択されることを特徴とする、請求項１に記載の固体分散物。
【請求項６】
前記水溶性生物学的適合性ポリマーが、ヒドロキシプロピルメチルセルロースアセテートサクシネート、ヒドロキシプロピルメチルセルロース、ヒドロキシプロピルメチルセルロースフタレート、カルボキシメチルエチルセルロース、トリメリト酸酢酸セルロース、および酢酸フタル酸セルロースから成る群から選択されることを特徴とする、請求項５に記載の固体分散物。
【請求項７】
前記水溶性生物学的適合性ポリマーが、酢酸フタル酸セルロースであることを特徴とする、請求項６に記載の固体分散物。
【請求項８】
約２５重量％の５−エチル−２−｛４−［４−（４−テトラゾル−１−イル−フェノキシメチル）−チアゾール−２−イル］−ピペリジン−１−イル｝−ピリミジンを含む、請求項７に記載の固体分散物。
【請求項９】
前記固体分散物が噴霧乾燥した分散物またはホットメルト押出し成形物であることを特徴とする、請求項１に記載の固体分散物。
【請求項１０】
前記固体分散物が噴霧乾燥した分散物であることを特徴とする、請求項９に記載の固体分散物。
【請求項１１】
医薬的に不活性な担体および治療有効量の５−エチル−２−｛４−［４−（４−テトラゾル−１−イル−フェノキシメチル）−チアゾール−２−イル］−ピペリジン−１−イル｝−ピリミジンを含み、約２５％から約１００重量％の５−エチル−２−｛４−［４−（４−テトラゾル−１−イル−フェノキシメチル）−チアゾール−２−イル］−ピペリジン−１−イル｝−ピリミジンが非晶質であることを特徴とする医薬製剤。
【請求項１２】
約９５重量％の５−エチル−２−｛４−［４−（４−テトラゾル−１−イル−フェノキシメチル）−チアゾール−２−イル］−ピペリジン−１−イル｝−ピリミジンが非晶質であることを特徴とする、請求項１１に記載の医薬製剤。
【請求項１３】
前記５−エチル−２−｛４−［４−（４−テトラゾル−１−イル−フェノキシメチル）−チアゾール−２−イル］−ピペリジン−１−イル｝−ピリミジンが、水溶性生物学的適合性ポリマーをさらに含む固体分散物の中に含まれていることを特徴とする、請求項１１に記載の医薬製剤。
【請求項１４】
前記水溶性生物学的適合性ポリマーが、酢酸フタル酸セルロースであることを特徴とする、請求項１３に記載の医薬製剤。
【請求項１５】
約２５重量％の５−エチル−２−｛４−［４−（４−テトラゾル−１−イル−フェノキシメチル）−チアゾール−２−イル］−ピペリジン−１−イル｝−ピリミジンを含むことを特徴とする、請求項１１に記載の医薬製剤。
【手続補正書】
【提出日】平成26年6月13日(2014.6.13)
【手続補正１】
【補正対象書類名】明細書
【補正対象項目名】０００３
【補正方法】変更
【補正の内容】
【０００３】
[0002]ヒドロフルオロカーボン（ＨＦＣ）、特にテトラフルオロプロペン（２，３，３，３−テトラフルオロプロペン（ＨＦＯ−１２３４ｙｆ）及び１，３，３，３−テトラフルオロプロペン（ＨＦＯ−１２３４ｚｅ）など）のようなヒドロフルオロオレフィン（ＨＦＯ）は、有効な冷媒、消火剤、熱伝達媒体、噴射剤、起泡剤、発泡剤、気体状誘電体、滅菌剤キャリア、重合媒体、粒状物除去流体、キャリア流体、バフ研磨剤、置換乾燥剤、及び動力サイクル作動流体であることが開示されている。クロロフルオロカーボン（ＣＦＣ）及びヒドロクロロフルオロカーボン（ＨＣＦＣ）（いずれも地球オゾン層を損傷する可能性がある）とは異なり、ＨＦＣは塩素を含まず、したがってオゾン層を脅威にさらさない。
【手続補正書】
【提出日】平成26年6月3日(2014.6.3)
【手続補正１】
【補正対象書類名】特許請求の範囲
【補正対象項目名】全文
【補正方法】変更
【補正の内容】
【特許請求の範囲】
【請求項１】
抗菌薬又は抗菌薬の組合せを含む医薬製剤であって、抗菌薬がリポソーム中に封入されており、少なくとも１つのポリエチレングリコール（ＰＥＧ）分子がリポソームの表面に共有結合的に付着している上記医薬製剤。
【請求項２】
１つ又は複数の抗菌薬が糖ペプチド抗生物質である、請求項１に記載の医薬製剤。
【請求項３】
１つ又は複数の糖ペプチド抗生物質が、バンコマイシン；アボパルシン；リストセチン；テイコプラニン；バンコマイシン、アボパルシン、リストセチン、及びテイコプラニンの誘導体；又はこれらの混合物から選択される、請求項１に記載の医薬製剤。
【請求項４】
バンコマイシン誘導体の誘導体が、多価バンコマイシン、バンコマイシンジスルフィド、モノデクロロバンコマイシン又はジデクロロバンコマイシン、バンコマイシンのグルタミン類似体、バンコマイシンのアスパラギン酸類似体、バンコマイシンのデスバンコサミン誘導体、バンコマイシンの塩素誘導体、バンコマイシンのベンジルアミノ糖誘導体、Ｎ−アシルバンコマイシン、Ｎ−アラシルバンコマイシン、及びＮ−アルキルバンコマイシン、又はこれらの混合物を含む、請求項３に記載の医薬製剤。
【請求項５】
リポソームが、１，２−ジミリストロイル（ｄｉｍｙｒｉｓｔｒｏｙｌ）−ｓｎ−グリセロ−３−ホスホコリン、１，２−ジラウロイル−ｓｎ−グリセロ−３−ホスホコリン、１，２−ジステアロイル−ｓｎ−グリセロ−３−ホスホコリン、１，２−ジミリストイル−ｓｎ−グリセロ−３−ホスホエタノールアミン、１，２−ジパルミトイル−ｓｎ−グリセロ−３−ホスホエタノールアミン、１，２−ジオレオイル−ｓｎ−グリセロ−３−リン酸一ナトリウム塩、１，２−ジパルミトイル−ｓｎ−グリセロ−３−［ホスホル（ｐｈｏｓｐｈｏｒ）−ｒａｃ−（１−グリセロール）］ナトリウム塩、１，２−ジミリストイル−ｓｎ−グリセロ−３−［ホスホ−Ｌ−セリン］ナトリウム塩、１，２−ジオレオイル−ｓｎ−グリセロ−３−ホスホエタノールアミン−Ｎ−グルタリル（ｇｌｕｔａｒｙｌ）ナトリウム塩、及び１，１’，２，２’−テトラミリストイルカルジオリピンアンモニウム塩、又はこれらの混合物から選択される脂質を含む、請求項１に記載の医薬製剤。
【請求項６】
ＰＥＧ分子が、メチルポリエチレングリコール−１，２−ジステアロイル−ホスファチジルエタノールアミン接合体（ＭＰＥＧ−２０００−ＤＳＰＥ）、モノメトキシポリエチレングリコール（ＭＰＥＧ−ＯＨ）、モノメトキシポリエチレングリコール−コハク酸塩（ＭＰＥＧ−Ｓ）、モノメトキシポリエチレングリコール−スクシニミジルコハク酸塩（ＭＰＥＧ−Ｓ−ＮＨＳ）、モノメトキシポリエチレングリコール−アミン（ＭＰＥＧ−ＮＨ２）、モノメトキシポリエチレングリコール−トレシレート（ＭＰＥＧ−ＴＲＥＳ）、及びモノメトキシポリエチレングリコールイミダゾリルカルボニル（ＭＰＥＧ−ＩＭ）、又はこれらの混合物から選択される、請求項１に記載の医薬製剤。
【請求項７】
リポソームがコレステロール又はコレステロール誘導体も含む、請求項１に記載の医薬製剤。
【請求項８】
リポソームが、１，２−ジステアロイル−ｓｎ−グリセロ−３−ホスホコリン（ＤＳＰＣ）、メチルポリエチレングリコール−１，２−ジステアロイル−ホスファチジルエタノールアミン接合体（ＭＰＥＧ−２０００−ＤＳＰＥ）、及びコレステロール又はコレステロール誘導体を含む、請求項１に記載の医薬製剤。
【請求項９】
ＤＳＰＣ、コレステロール、及びＭＰＥＧ−２０００−ＤＳＰＥのモル比がそれぞれ０．１：０．１：０から３０：１０：２までの範囲である、請求項８に記載の医薬製剤。
【請求項１０】
ＤＳＰＣ、コレステロール、及びＰＥＧのモル比がそれぞれ３：１：０から３：１：０．５までである、請求項９に記載の医薬製剤。
【請求項１１】
少なくとも１つの細菌による患者の組織又は器官の感染症を治療するための、請求項１に記載の医薬製剤。
【請求項１２】
少なくとも１つの細菌がグラム陽性である、請求項１１に記載の医薬製剤。
【請求項１３】
少なくとも１つのグラム陽性細菌がメチシリン耐性黄色ブドウ球菌（Ｓｔａｐｈｙｌｏｃｏｃｃｕｓ  ａｕｒｅｕｓ）（ＭＲＳＡ）である、請求項１２に記載の医薬製剤。
【請求項１４】
少なくとも１つの細菌が細胞の細胞内区画に感染している、請求項１１に記載の医薬製剤。
【請求項１５】
感染している組織又は器官が、肺、肝臓、脾臓、腎臓、若しくは全ての血液細胞集団を含む血液、又は前述の組織若しくは器官の任意の組合せである、請求項１１に記載の医薬製剤。
【請求項１６】
感染している組織又は器官が肺である、請求項１５に記載の医薬製剤。
【手続補正書】
【提出日】平成26年6月24日(2014.6.24)
【手続補正１】
【補正対象書類名】特許請求の範囲
【補正対象項目名】全文
【補正方法】変更
【補正の内容】
【特許請求の範囲】
【請求項１】
少なくとも１つのペルフルオロ炭化水素、又は少なくとも１つのペルフルオロ炭化水素を含有する材料を、５８０Ｋ〜２０００Ｋの温度の熱分解領域において、水素の存在下で熱分解して、ジフルオロカルベンを含有する反応混合物を生成する工程を含み、前記水素が、ペルフルオロ炭化水素１モル当たり０．１〜８モル水素のモル比で前記熱分解領域に存在する、プロセス。
【請求項２】
前記熱分解領域が、マイクロ波反応器、流動床反応器、マイクロ波流動床反応器、又はマイクロ波活性粒子を含有するマイクロ波流動床反応器の一部である、請求項１に記載のプロセス。
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
レーザーに対して透過性の、あらゆる種類の成形体を製造するための、本質的な成分として
Ａ）ポリエステル、
Ｂ）ポリエステルＡ）１ｋｇ当たり、一般式（Ｉ）
【化１】
2013529688.tif 000001
〔式中、
それぞれ各位置とは無関係に、
−Ａ1−は、−ＮＲ−、−Ｏ−、−Ｓ−、−ＣＨ＝Ａ4−を表わし、但し、Ｒは、ＨまたはＣ1〜6アルキルであり、Ａ4は、ＮまたはＣＨであるものとし、
Ａ2は、ＣＯＯＸまたはＯＸを表わし、但し、Ｘは、Ｌｉ、Ｎａ、Ｋ、Ｒｂ、Ｃｓ、Ｍｇ/２、Ｃａ/２、Ｓｒ/２、Ｂａ/２、Ａｌ/３であるものとし、
Ａ3は、Ｃ1〜6アルキル、Ｃ6〜12アリール、Ｃ7〜13アルカリール、Ｃ7〜13アラルキル、Ｏ−Ｃ1〜6アルキル、Ｏ−Ｃ6〜12アリール、Ｏ−Ｃ7〜13アルカリール、Ｏ−Ｃ7〜13アラルキル、ＣＯＯＸ’、ＯＸ’、ＳＸ’、ＳＯ3Ｘ’を表わし、但し、Ｘ’は、ＨまたはＸ、Ｓ−Ｃ1〜6アルキル、Ｓ−Ｃ6〜12アリール、ＮＲ2、ハロゲン、ＮＯ2であるものとし、
ｎは、１〜４の整数であり、
ｍは、０〜４−ｎの整数であり、この場合Ａ3がＮＯ2である場合には、ｍは１であり、
その際、ｍｍｏｌの数は、下記の基が一般式（Ｉ）の化合物中に存在する限り、単数または複数の基ＣＯＯＸおよびＯＸおよびＳＸ’に対するものであり、但し、Ｘ’はＸであるものとする〕で示される少なくとも１つの化合物２０〜２００ｍｍｏｌ、ならびに、さらに
Ｃ）成分Ａ）の質量に対して他の添加剤０〜２３０質量％
を含有する熱可塑性成形材料の使用方法。
【請求項２】
成形材料は、ポリエステルＡ）１ｋｇ当たり成分Ｂ）を２５〜１４０ｍｍｏｌ含有する、請求項１記載の方法。
【請求項３】
成形体は、少なくとも３３％のレーザー透過率（厚さ２ｍｍの成形体について１０６４ｎｍで測定した）を有する、請求項１または２記載の方法。
【請求項４】
一般式（Ｉ）の化合物において、ｎは、１または２の値を有し、およびｍは、０または１または２の値を有する、請求項１から３までのいずれか１項に記載の方法。
【請求項５】
ｎは、１の値を有し、およびｍは、０または１の値を有する、請求項４記載の方法。
【請求項６】
Ｘは、Ｌｉ、Ｎａ、Ｋ、ＲｂまたはＣｓを表わす、請求項１から５までのいずれか１項に記載の方法。
【請求項７】
Ｘは、Ｌｉ、ＮａまたはＫを表わす、請求項６記載の方法。
【請求項８】
Ａ3は、Ｃ1〜6アルキル、ＯＸ、ＳＯ3Ｘ、ハロゲンまたはＮＯ2を表わす、請求項１から７までのいずれか１項に記載の方法。
【請求項９】
レーザー浸透溶接法を用いて成形体を製造するための、請求項１から８までのいずれか１項に記載のレーザーに対して透過性の成形体の使用方法。
【請求項１０】
レーザー浸透溶接によって成形体を製造するための、請求項１から８までのいずれか１項に記載の方法。
【請求項１１】
レーザーに対して透過性の成形体をレーザーに対して吸収性の成形体と、レーザー浸透溶接によって接合する、請求項１０記載の方法。
【請求項１２】
溶接された成形品の製造法において、請求項１から８までのいずれか１項に記載の方法によりレーザーに対して透過性の成形体をレーザーに対して吸収性の成形体と、レーザー浸透溶接によって接合することを特徴とする、溶接された成形品の製造法。
【請求項１３】
電気産業、電子産業、テレコミュニケーション技術、情報技術、コンピューター技術、家庭用品産業、スポーツ産業、医療技術、自動車産業または娯楽産業の分野における用途に適している、請求項１２記載の方法により得られた、溶接された成形品。
【手続補正２】
【補正対象書類名】明細書
【補正対象項目名】０００１
【補正方法】変更
【補正の内容】
【０００１】
本発明は、レーザーに対して透過性の、あらゆる種類の成形体を製造するための、本質的な成分として
Ａ）ポリエステル、
Ｂ）ポリエステルＡ）１ｋｇ当たり、一般式（Ｉ）
【化１】
2013529688.tif 000002
〔式中、
それぞれ各位置とは無関係に、
−Ａ1−は、−ＮＲ−、−Ｏ−、−Ｓ−、−ＣＨ＝Ａ4−を表わし、但し、Ｒは、ＨまたはＣ1〜6アルキルであり、Ａ4は、ＮまたはＣＨであるものとし、
Ａ2は、ＣＯＯＸまたはＯＸを表わし、但し、Ｘは、Ｌｉ、Ｎａ、Ｋ、Ｒｂ、Ｃｓ、Ｍｇ/２、Ｃａ/２、Ｓｒ/２、Ｂａ/２、Ａｌ/３であるものとし、
Ａ3は、Ｃ1〜6アルキル、Ｃ6〜12アリール、Ｃ7〜13アルカリール、Ｃ7〜13アラルキル、Ｏ−Ｃ1〜6アルキル、Ｏ−Ｃ6〜12アリール、Ｏ−Ｃ7〜13アルカリール、Ｏ−Ｃ7〜13アラルキル、ＣＯＯＸ’、ＯＸ’、ＳＸ’、ＳＯ3Ｘ’を表わし、但し、Ｘ’は、ＨまたはＸ、Ｓ−Ｃ1〜6アルキル、Ｓ−Ｃ6〜12アリール、ＮＲ2、ハロゲン、ＮＯ2であるものとし、
ｎは、１〜４の整数であり、
ｍは、０〜４−ｎの整数であり、この場合Ａ3がＮＯ2である場合には、ｍは１であり、
その際、ｍｍｏｌの数は、下記の基が一般式（Ｉ）の化合物中に存在する限り、単数または複数の基ＣＯＯＸおよびＯＸおよびＳＸ’に対するものであり、但し、Ｘ’はＸであるものとする〕で示される少なくとも１つの化合物２０〜２００ｍｍｏｌ、ならびに、さらに
Ｃ）成分Ａ）の質量に対して他の添加剤０〜２３０質量％
を含有する熱可塑性成形材料の使用方法に関する。
【手続補正３】
【補正対象書類名】明細書
【補正対象項目名】０００２
【補正方法】変更
【補正の内容】
【０００２】
更に、本発明は、レーザー浸透溶接法（レーザー透過溶接法）により成形体を製造するための、レーザーに対して透過性の成形体の使用、この種の成形体の製造法ならびに様々な使用範囲での前記成形体の使用方法に関する。
【手続補正書】
【提出日】平成26年6月24日(2014.6.24)
【手続補正１】
【補正対象書類名】特許請求の範囲
【補正対象項目名】全文
【補正方法】変更
【補正の内容】
【特許請求の範囲】
【請求項１】
以下：
【化１】
2013529647.tif 000001
【化２】
2013529647.tif 000002
からなる群から選択される化合物、又はその医薬として許容可能な塩、その水和物若しくはその回転異性体。
【請求項２】
以下：
【化３】
2013529647.tif 000003
からなる群から選択される化合物、又はその医薬として許容可能な塩、その水和物若しくはその回転異性体。
【請求項３】
以下：
【化４】
2013529647.tif 000004
からなる群から選択される化合物、又はその医薬として許容可能な塩、その水和物若しくはその回転異性体。
【請求項４】
図１Ｘ〜図１ＱＱＱに記載の、＋＋＋又は＋＋＋＋の活性レベルを有する１．１８１〜１．５４６の化合物からなる群から選択される化合物であって、図１Ａ〜図１Ｗに記載の１．００１〜１．１８０の化合物以外の化合物。
【請求項５】
医薬として許容可能な担体及び請求項１〜４のいずれか１項に記載の化合物を含む医薬組成物。
【請求項６】
請求項１〜４のいずれか１項に記載の化合物を含む、病気に起因するＣ５ａ受容体の活性化が関与する疾患若しくは障害に苦しむ又はかかりやすい哺乳動物を処置するための組成物であって、ここで、前記疾患又は障害が、炎症性の疾患又は障害、心臓血管又は脳血管の疾患、自己免疫疾患、又はインスリン依存性糖尿病、ループス腎症、ヘイマン腎炎、膜性腎炎、糸球体腎炎、接触過敏性反応、及び人工表面に血液が接触することによる炎症に付随した続発症である、組成物。
【請求項７】
前記疾患又は障害が炎症性の疾患又は障害である、請求項６に記載の組成物。
【請求項８】
前記疾患又は障害が、好中球減少症、敗血症、敗血症性ショック、アルツハイマー病、多発性硬化症、脳卒中、炎症性腸疾患、加齢黄斑変性、慢性閉塞性肺疾患、火傷に付随する炎症、肺損傷、変形性関節炎、アトピー性皮膚炎、慢性蕁麻疹、虚血-再還流障害、急性呼吸促迫症候群、全身性炎症反応症候群、多臓器不全症候群、組織移植拒絶、ガン及び移植された臓器の超急性拒絶からなる群から選択される、請求項７に記載の組成物。
【請求項９】
前記疾患又は障害が心臓血管又は脳血管の疾患である、請求項６に記載の組成物。
【請求項１０】
前記疾患又は障害が、心筋梗塞、冠状動脈血栓症、血管閉塞、手術後血管再閉塞、アテローム性動脈硬化症、外傷性中枢神経損傷、及び虚血性心疾患からなる群から選択される、請求項９に記載の組成物。
【請求項１１】
前記疾患又は障害が自己免疫疾患である、請求項６に記載の組成物。
【請求項１２】
前記疾患又は障害が、関節リウマチ、全身性エリテマトーデス、ギラン-バレー症候群、膵臓炎、ループス腎炎、ループス糸球体腎炎、乾癬、クローン病、脈管炎、過敏性腸症候群、皮膚筋炎、多発性硬化症、気管支炎性喘息、天疱瘡、類天疱瘡、強皮症、重症筋無力症、自己免疫性の溶血状態と血小板減少状態、グッドパスチャー症候群、免疫脈管炎、組織移植拒絶、及び移植された臓器の超急性拒絶からなる群から選択される、請求項１１に記載の組成物。
【請求項１３】
前記疾患又は障害が、インスリン依存性糖尿病、ループス腎症、ヘイマン腎炎、膜性腎炎、糸球体腎炎、接触過敏性反応、及び人工表面に血液が接触することによる炎症からなる群に付随した続発症である、請求項６に記載の組成物。
【手続補正書】
【提出日】平成26年7月7日(2014.7.7)
【手続補正１】
【補正対象書類名】特許請求の範囲
【補正対象項目名】請求項１７
【補正方法】変更
【補正の内容】
【請求項１７】
少なくとも１つの医薬上許容されるアジュバント、キャリアまたは希釈剤とともに、請求項１〜１６のいずれかに記載の化合物またはその塩を含有する医薬組成物。
【手続補正２】
【補正対象書類名】特許請求の範囲
【補正対象項目名】請求項１８
【補正方法】変更
【補正の内容】
【請求項１８】
有効な量の請求項１〜１６のいずれかに記載の化合物またはその塩を、それを必要とする患者に投与するステップを含む、細胞増殖を特徴とする病気または症状を処置する方法。
【手続補正３】
【補正対象書類名】特許請求の範囲
【補正対象項目名】請求項１９
【補正方法】変更
【補正の内容】
【請求項１９】
細胞過剰増殖を含む、細胞増殖を特徴とする病気または症状の処置のための医薬の製造における、請求項１〜１６のいずれかに記載の化合物またはその塩の使用。
【手続補正４】
【補正対象書類名】特許請求の範囲
【補正対象項目名】請求項２０
【補正方法】変更
【補正の内容】
【請求項２０】
細胞過剰増殖を含む、細胞増殖を特徴とする病気または症状の処置のための、請求項１〜１６のいずれかに記載の化合物またはその塩の使用。
【手続補正書】
【提出日】平成26年6月18日(2014.6.18)
【手続補正１】
【補正対象書類名】特許請求の範囲
【補正対象項目名】全文
【補正方法】変更
【補正の内容】
【特許請求の範囲】
【請求項１】
アデノシンリン酸エステル及びその塩よりなる群から選択される少なくとも１種であるプリン系核酸を有効成分として含有することを特徴とする、光曝露に起因する皮膚細胞異常化の抑制における使用のための組成物。
【請求項２】
経皮適用される請求項１に記載の組成物。
【請求項３】
アデノシンリン酸エステルがアデノシン一リン酸であることを特徴とする、請求項１又は２に記載の組成物。
【請求項４】
前記皮膚細胞異常化の抑制が、DNA修復又はDNA変異抑制を伴うことを特徴とする、請求項１〜３のいずれかに記載の組成物。
【請求項５】
前記皮膚細胞異常化の抑制が、アポトーシスの誘導を伴うことを特徴とする、請求項１〜４のいずれかに記載の組成物。
【請求項６】
前記皮膚細胞異常化の抑制が、皮膚腫瘍の予防であることを特徴とする、請求項１〜５のいずれかに記載の組成物。
【請求項７】
皮膚腫瘍の予防が、皮膚腫瘍のイニシエーションの抑制を伴うことを特徴とする、請求項６に記載の組成物。
【請求項８】
前記皮膚腫瘍の予防が、皮膚癌の予防を目的とすることを特徴とする請求項６又は７に記載の組成物。
【請求項９】
総量中に０．５〜２０重量%のアデノシン一リン酸及び又はその塩よりなる群から選択される少なくとも１種を含有することを特徴とする請求項１〜８のいずれかに記載の組成物。